(57)【要約】【課題】  上方に棚や他の設置物がある場所にも問題なく設置できると共に、食器の出し入れもしやすく、更に、食器かごの出し入れ性や食器かごに対する食器の出し入れ性に優れ、そのほか、扉閉鎖状態での全体の奥行寸法を小さくすることまでできるようにする。【解決手段】  扉４２が、開放時に、本体４１の開口部４８の下方側に伏せて重ね置かれる複数の単位扉（下扉４３、上扉）から成るものとすると共に、本体４１の開口部４８の周縁部に防水用のリブ６７，６８を、閉鎖状態の扉４２に入り込むように延設し、そして、本体４１と扉４２との間をシール部材７０でシールするようにした。【選択図】  図１
2006198223.tif 000002
【特許請求の範囲】
【請求項１】
内部で食器を洗浄する洗浄室を有すると共に、その洗浄室に対して食器を出し入れするための開口部を前面側に有する本体と、
この本体に前記開口部を開閉するように設けられた扉とを具備し、
その扉が、開放時に、前記開口部の下方側に伏せて重ね置かれる複数の単位扉から成るものとすると共に、
前記本体の開口部の周縁部に防水用のリブを、閉鎖状態の前記扉に入り込むように延設し、
前記本体と扉との間をシール部材でシールするようにしたことを特徴とする食器洗浄機。
【請求項２】
扉が防水用のリブを、扉の外周部の厚さとほゞ同等の高さで有することを特徴とする請求項１記載の食器洗浄機。
【請求項３】
扉が有するラッチを扉閉鎖時に係止する孔を、本体の防水用のリブより外側で、且つ、該防水用リブの先端より本体の奥側に位置する部位に有することを特徴とする請求項１記載の食器洗浄機。
【請求項４】
内部で食器を洗浄する洗浄室を有すると共に、その洗浄室に対して食器を出し入れするための開口部を前面側に有する本体と、
この本体に前記開口部を開閉するように設けられた扉とを具備し、
その扉が、開放時に、前記開口部の下方側に伏せて重ね置かれる複数の単位扉から成るものとすると共に、
その扉の閉鎖時に、下側の単位扉の上端部に設けた係合部に、上側の単位扉の下端部に設けた被係合部が係合すると共に、下側の単位扉と上側の単位扉との間をシール部材でシールするようにしたことを特徴とする食器洗浄機。
【請求項５】
下側の単位扉と上側の単位扉との分割面を後下がりに傾斜させ、その傾斜と同方向に、下側の単位扉の係合部と上側の単位扉の被係合部とを傾斜させて設けたことを特徴とする請求項４記載の食器洗浄機。
【請求項６】
上側の単位扉に防水壁を延設し、この防水壁で下側の単位扉と上側の単位扉のシール部分を洗浄室内側から覆ったことを特徴とする請求項４記載の食器洗浄機。
【請求項７】
防水壁が、両側端部を中間部より長く延設されていることを特徴とする請求項６記載の食器洗浄機。
【請求項８】
防水壁の両側端部延設部分に、扉の開放時に食器かごを案内する案内部を延長させて設けたことを特徴とする請求項７記載の食器洗浄機。
【発明の詳細な説明】
【技術分野】
【０００１】
本発明は、扉が複数の単位扉から成る食器洗浄機に関する。
【背景技術】
【０００２】
従来より、食器洗浄機においては、扉が複数の単位扉から成るものが供されている。図２２はその第１例を示しており、本体１の前面側に、扉２が、下側の単位扉である下扉２ａと、上側の単位扉である上扉２ｂとに分けて設けられ、開放時に、該扉２は、下扉２ａと上扉２ｂとで上方に折り畳まれて開放されるようになっている。
図２３は第２例を示しており、本体１１の前面側に、扉１２が、同じく下扉１２ａと、上扉１２ｂとに分けて設けられ、開放時に、該扉１２は、下扉１２ａが下方へ回動され、上扉１２ｂが上方へ回動されて開放されるようになっている。
【０００３】
図２４は第３例を示しており、本体２１の前面側に、扉２２が、同じく下扉２２ａと、上扉２２ｂとに分けて設けられ、開放時に、該扉２２は、下扉２２ａが下方へ回動され、上扉２２ｂがワイヤ２３ａを主体とする連動機構２３により上方へスライド移動されて、開放されるようになっている。
そして、図２５は第４例を示しており、本体３１の前面側に、扉３２が、同じく下扉３２ａと、上扉３２ｂとに分けて設けられ、開放時に、該扉３２は、下扉３２ａが下方へ回動され、上扉３２ｂがリンク３３ａを主体とする連動機構３３により本体３１から離間されて下扉３２ａの上に重ね置かれることにより、開放されるようになっている。
【特許文献１】特開２００２−１０９６１号公報
【発明の開示】
【発明が解決しようとする課題】
【０００４】
上記従来のもののうち、第１例のものでは、開放時、扉２が下扉２ａと上扉２ｂとで上方に折り畳まれて開放されるものの、それら下扉２ａ及び上扉２ｂが本体１上で起立するため、上方に棚等が低めにあれば、それに下扉２ａ又は上扉２ｂが当たり、扉２の開放が充分にできなくなる。よって、そのような場所には食器洗浄機を設置することができないという問題点を有していた。
【０００５】
これに対して、第２例のものでは、開放した上扉１２ｂはほゞ水平に止められるものであり、従って、上方に低めに棚等があってもそれに上扉１２ｂが当たる心配はないものの、この上扉１２ｂが本体１１の前方に突き出るため、本体１１内の洗浄室に対する食器の出し入れがしにくい、すなわち、上扉１２ｂが食器の出し入れの邪魔になるという問題点を有していた。
【０００６】
一方、第３例のものでは、開放時、上方へスライド移動された上扉２２ｂが本体２１上に位置するため、第１例のものほどではないものの、上方に位置する他の設置物があれば、それに上扉２２ｂが当たり、扉２２の開放が充分にできなくなるので、そのような場所には食器洗浄機を設置することができないという問題点を有していた。
【０００７】
そして、第４例のものでは、開放した上扉３２ｂは下扉３２ａの上に重ね置かれるものであり、従って、上方に棚や他の設置物があっても、それに上扉３２ｂが当たる心配はなく、又、上扉３２ｂが食器の出し入れの邪魔になることもないものの、下扉３２ａと上扉３２ｂとの重なり合った厚さ寸法Ｔ０が大きく、その分、上扉３２ｂの上に引出される食器かご（図示せず）の位置が高くなって、該食器かごの出し入れ性や、食器かごに対する食器の出し入れ性が良くないという問題点を有していた。
【０００８】
又、第４例のものでは、下扉３２ａと上扉３２ｂとが、閉鎖状態では、単にシール部材３４を挟んで接触するのみであり、洗浄時の内部洗浄室からの水漏れを防止するシール性能が高くないという問題点をも有していた。
【０００９】
本発明は上述の事情に鑑みてなされたものであり、従ってその第１の目的は、上方に棚や他の設置物がある場所にも問題なく設置できると共に、食器の出し入れもしやすく、更に、食器かごの出し入れ性や食器かごに対する食器の出し入れ性に優れ、そのほか、扉閉鎖状態での全体の奥行寸法を小さくすることまでできる食器洗浄機を提供するにある。
【００１０】
本発明の第２の目的は、上方に棚や他の設置物がある場所にも問題なく設置できると共に、食器の出し入れもしやすく、更に、洗浄時の内部洗浄室からの水漏れを防止するシール性能を高く得ることのできる食器洗浄機を提供するにある。
食器洗浄機を提供するにある。
【課題を解決するための手段】
【００１１】
上記目的を達成するために、本発明の食器洗浄機においては、第１に、内部で食器を洗浄する洗浄室を有すると共に、その洗浄室に対して食器を出し入れするための開口部を前面側に有する本体と、この本体に前記開口部を開閉するように設けられた扉とを具備し、その扉が、開放時に、前記開口部の下方側に伏せて重ね置かれる複数の単位扉から成るものとすると共に、前記本体の開口部の周縁部に防水用のリブを、閉鎖状態の前記扉に入り込むように延設し、前記本体と扉との間をシール部材でシールするようにしたことを特徴とする（請求項１の発明）。
【００１２】
本発明の食器洗浄機においては、第２に、内部で食器を洗浄する洗浄室を有すると共に、その洗浄室に対して食器を出し入れするための開口部を前面側に有する本体と、この本体に前記開口部を開閉するように設けられた扉とを具備し、その扉が、開放時に、前記開口部の下方側に伏せて重ね置かれる複数の単位扉から成るものとすると共に、その扉の閉鎖時に、下側の単位扉の上端部に設けた係合部に、上側の単位扉の下端部に設けた被係合部が係合すると共に、下側の単位扉と上側の単位扉との間をシール部材でシールするようにしたことを特徴とする（請求項４の発明）。
【発明の効果】
【００１３】
上記第１の手段（請求項１の発明）によれば、扉は、開放時に、本体の開口部の下方側に伏せて重ね置かれる複数の単位扉から成るものであり、それによって、上方に棚や他の設置物がある場所でも、それらに扉が当たるようなことがなく、問題なく設置できる。又、開放時、複数の単位扉が伏せて重ね置かれる扉は食器の出し入れの邪魔になることもなく、食器の出し入れをしやすくできる。
【００１４】
そして、本体の開口部の周縁部に延設した防水用のリブは、閉鎖状態の扉に入り込み、その状態で、本体と扉との間をシール部材でシールするものであるから、その分、扉には防水用のリブを小さく設けるに留め得、もしくはそれを設けないでも、充分な防水性能が得られる。かくして、複数の単位扉の厚さ寸法を小さくでき、それら複数の単位扉が重なり合う厚さ寸法も小さくできるので、扉の上に引出される食器かごの位置を低くできて、該食器かごの出し入れ性や、食器かごに対する食器の出し入れ性を良くできる。加えて、扉の厚さ寸法を小さくできることで、扉閉鎖状態での全体の奥行寸法を小さくすることもできる。
【００１５】
第２の手段（請求項４の発明）によっても、扉は、開放時に、本体の開口部の下方側に伏せて重ね置かれる複数の単位扉から成るものであり、それによって、上方に棚や他の設置物がある場所でも、それらに扉が当たるようなことがなく、問題なく設置できるし、開放時、複数の単位扉が伏せて重ね置かれる扉は食器の出し入れの邪魔になることもなく、食器の出し入れをしやすくできる。
【００１６】
そして、この場合、扉の閉鎖時には、下側の単位扉の上端部に設けた係合部に、上側の単位扉の下端部に設けた被係合部が係合することにより、下側の単位扉と上側の単位扉とが堅固に結合され、それにより、下側の単位扉と上側の単位扉との間でのシール部材の圧接量が安定し、洗浄時の内部洗浄室からの水漏れを防止するシール性能を高く得ることができる。
【発明を実施するための最良の形態】
【００１７】
以下、本発明の第１実施例（第１の実施形態）につき、図１ないし図１３を参照して説明する。
まず、図２には、本体４１と、これの前面側に設けた扉４２を示している。このうち、扉４２は、単位扉、特には下側の単位扉である下扉４３と、同じく単位扉、特には上側の単位扉である上扉４４から成っている。
【００１８】
一方、本体４１は、外箱４５を外殻とし、これの内部に図３に示す内箱４６を配設して、該内箱４６の内部を洗浄室４７としている。この洗浄室４７は、前面側、この場合、図４（ロ）、（ハ）に示すように、前面部から上面の前部にかけた部分が開口（開口部４８）しており、洗浄室４７内には、その開口部４８から下食器かご４９と上食器かご５０とを引出し可能に収納している。これらの食器かご４９，５０は、食器５１を収納配列するものであり、従って、開口部４８は、それら食器かご４９，５０の出し入れと共に食器５１の出し入れに供するようになっている。
【００１９】
このほか、洗浄室４７内には、図示しない噴水体やヒータ等を配設し、洗浄室４７外（本体４１内）に同じく図示しない給水弁や水位検知装置、洗浄ポンプ、排水ポンプ、及び送風機等を配設して、これらの洗浄手段及び乾燥手段により、上記両食器かご４９，５０に収納配置した食器５１の洗浄及び乾燥を行うようになっている。
【００２０】
なお、図２に示すように、扉４２には、上述の洗浄及び乾燥の運転について必要な操作をするための操作パネル５２を、下扉４３の前面部のほゞ中央に設けている。又、扉４２の後述するロック解除操作をするための操作部材である押釦５３を、上扉４４の前面部のほゞ中央に設けており、扉４２の閉操作をするための手懸部５４を、同上扉４４前面部の上記押釦５３より上方の部分に設け、その両側に、もっぱら乾燥時の排気をする排気口５５を設けている。
【００２１】
排気口５５は、図３に示すように、裏側をカバー５６で通気可能に覆って洗浄中の水が機外に噴出するのを防止するようにしており、そのほか、上扉４４の内面には洗剤受け部５７を設けている。
【００２２】
そして、図４（イ）に示すように、下扉４３は、下端部の左右両側を、支軸５８によって本体４１に上下回動可能に取付け支持している。又、上扉４４には、左右の両側面部の外側に、ガイド部としての溝５９を形成している。この溝５９は、詳細には、扉４２の閉鎖状態で、上扉４４の左右両側面部の前側を上部から下部へ垂直状に延び、そして、下端側５９ａにおいては前側から後下がりに傾斜して延びる形態に形成しており、その傾斜角度θ１は垂直線に対して６０度以下、特には４０度としている。
【００２３】
又、溝５９の下端側５９ａの延びの関係上、上扉４４の左右両側面部の下端側は、下扉４３よりも本体４１側に突出する突出部６０（図４（ロ）、（ハ）参照）としている。すなわち、上扉４４は、溝５９の下端側５９ａを突出部６０に有している。
【００２４】
これに対して、下扉４３には、左右両側壁の上部の外側に耳のような張出部６１を係合部材として形成し、これにより上扉４４を挟むようにしている。又、この張出部６１の後部内側には、係合部として突起６２を図６に示すように形成しており、この突起６２を、上述の溝５９に嵌入させて係合させ、溝５９がこの突起６２を沿わせて移動するスライド構造にて、下扉４３に上扉４４をスライド可能に結合している。又、溝５９はその下端５９ｂを図３に示すように開放させており、それによって、上扉４４を下扉４３に対し着脱可能としている。
【００２５】
なお、この場合、図６に示すように、張出部６１は下扉４３と一体であるが、別体としてねじ等により取付けるようにしても良い。又、上扉４４の左右両側外面と下扉４３の左右両側外面とはほゞ面一で、それらより張出部６１のみが外側に突出している。更に、突起６２は、先端に小突起６２ａを有していて、それを溝５９の奥面に当接させることにより、上扉４４の外側面と張出部６１の内面とのとの間に隙間Ｇが保たれ、上扉４４の外側面を張出部６１の内面で摺って傷付けることのないようにしている。
【００２６】
そして、上扉４４の内面の周縁部には、２条の防水用のリブ６３，６４を形成しており、下扉４３の内面の周縁部にも、同じく２条の防水用のリブ６５，６６を形成している。このうち、上扉４４のリブ６３，６４は、上扉４４の内面の左右の両側縁部と上縁部とに存し（図３参照）、下扉４３のリブ６５，６６は、下扉４３の内面の左右の両側縁部と下縁部とに存している。
【００２７】
これらに対して、本体４１には、図１に示すように、開口部４８の左右、上下の全周縁部に、同じく２条の防水用のリブ６７，６８を形成しており、このリブ６７，６８間の溝部６９には、奥部にゴムなど弾性材から成るシール部材７０を配設していて、これに、上記上扉４４のリブ６４並びに下扉４３のリブ６６（図１では下扉４３のリブ６６のみ図示）がそれぞれ先端部を圧接させることにより、扉４２閉鎖状態での本体４１と扉４２との間の密封（開口部４８の密封）をするようにしている。
【００２８】
ここで又、本体４１のリブ６７は、上扉４４のリブ６３，６４間と下扉４３のリブ６５，６６間（これも図１では下扉４３のリブ６５，６６間のみ図示）とに奥深く入り込むことによって、閉鎖状態の扉４２（上扉４４及び下扉４３）に入り込むようになっており、特には、上扉４４及び下扉４３の各主（周囲部を除く）内面（図１では下扉４３の主内面４３ａのみ図示）より寸法Ａだけ主（これも周囲部を除く）表面（図１では下扉４３の主表面４３ｂのみ図示）側に入り込むようになっている。
【００２９】
なお、前記シール部材７０に先端部を圧接させた上扉４４のリブ６４並びに下扉４３のリブ６６は、溝部６９内に入って本体４１のリブ６７，６８と内外に重なり合い、更に、その内方で、上扉４４のリブ６３並びに下扉４３のリブ６５（これも図１では下扉４３のリブ６５のみ図示）が本体４１のリブ６７と重なり合って、扉４２閉鎖状態での本体４１と扉４２との間の防水効果を高めるようにしている。
又、この場合、図６に示すように、上扉４４のリブ６３，６４は、その高さを上扉４４の厚さＴ４４とほゞ同等としており、下扉４３のリブ６５，６６も、その高さを下扉４３の厚さＴ４３とほゞ同等としている。
【００３０】
更に、図７に示すように、下扉４３のリブ６５，６６の上端部分には、上扉４４のリブ６３，６４の下端部分が内側（洗浄室４７側）で重なり合い、洗浄室４７での食器洗浄中におけるそれら上扉４４及び下扉４３の内面を伝って流下する水Ｗが漏れることのないようにしている。
【００３１】
図８は、下扉４３と上扉４４との分割面７１（下扉４３の上端面、上扉４４の下端面）を詳細に表しており、この分割面７１も後下がりに傾斜させており、その傾斜は前記上扉４４における溝５９の下端側５９ａの傾斜にほゞ沿い、もしくはその傾斜角度θ２を溝５９の下端側５９ａの傾斜角度θ１より小さくしている。
【００３２】
図８には又、上扉４４と下扉４３との間のシール構造を示しており、上扉４４の下端部の後側には、ひれ部７２ａを有するゴムなど弾性材から成るシール部材７２を、上扉４４の表面部材４４ａと内側部材４４ｂとで挟着している。加えて、上扉４４の下端部の前側には、凸部７３を被係合部として形成し、シール部材７２よりも後側に、下方へ延びる防水壁７４を延設している。
【００３３】
これらに対して、下扉４３の上端部には、前から順に、係合部である凹部７５と、シール接触面７６、及び段部７７を形成しており、扉４２の閉鎖状態で、凹部７５には上記上扉４４の凸部７３が係合し、シール接触面７６にはシール部材７２のひれ部７２ａが圧接し、段部７７には防水壁７４が合致して、この防水壁７４が下扉４３と上扉４４のシール部分を洗浄室４７の内側から覆い、これらによって、上扉４４と下扉４３との間の密封をするようにしている。
【００３４】
しかして、上記凹部７５と凸部７３は傾斜しており、その傾斜は前記下扉４３と上扉４４との分割面７１の傾斜と同方向としている。
なお、図９は、扉４２（上扉４４と下扉４３）が閉鎖する直前の状態を示しており、後述で明らかとなるように、上扉４４が矢印方向に進んで上述の密封状態となる。
【００３５】
図４に示した上扉４４の前記突出部６０の後下方には、支持部材７８を着脱可能な取付部材としての図３に示すねじ７９によって取付けており、この支持部材７８には、内側に図１０に示す突起８０を係合部として設け、この突起８０を、本体４１（内箱４６の外側面部）に上下に延びるように形成したガイド部である溝８１に係合させ、ひいては支持部材７８を本体４１に上下移動可能に連結している。
【００３６】
又、支持部材７８には、連結部材８２の一端部を上記突起８０の外側で連結ピン８３によって上下回動可能に連結しており、連結部材８２の他端部は、図４（イ）に示すように、下扉４３の下部の後側に延設した連結部８４の基部に連結ピン８５によって上下回動可能に連結している。
【００３７】
連結部８４の先端部と本体４１との間には、引張コイルスプリング８６を張架しており、他方、支持部材７８の先端部と本体４１との間にはダンパ８７を架設し、更に、そのダンパ８７の固定側（本体４１側）と可動側（支持部材７８側）との間には、引張コイルスプリング８８を張架している。
上記引張コイルスプリング８６，８８は、下扉４３と上扉４４とに閉鎖方向のモーメントを付与するもので、扉閉鎖付勢手段であり、その付勢力よりも、上扉４４と下扉４３のそれぞれ自重による開放方向のモーメントが勝るようにしている。
【００３８】
そのほか、上扉４４の左右両側には、ラッチ８９を設けており、このラッチ８９は、図１１及び図１２に詳細に示すように、本体４１に形成した孔９０を通ってその下側に係合するもので、すなわち、本体４１の孔９０の下側がラッチ８９が係合する係止部９１となっている。又、その本体４１の孔９０は、本体４１の前記防水用のリブ６７，６８、特には外側のリブ６８より更に外側で、且つ、該防水用リブ６７，６８の先端より本体４１の奥側（後側）に位置する部位に形成している。
更に、ラッチ８９は、上扉４４に内設した連軸９２の両端に設けており、その連軸９２を前記押釦５３が押圧操作されることで回転させるようにし、それによって、上記係止部９１に対するラッチ８９の係合が解除されるようにしている。
【００３９】
加えて、本体４１の係止部９１後方の位置には、レバー９３を図４（イ）、（ロ）に示す支軸９４によって枢支し、更にその後方にスイッチ９５を配設していて、係止部９１に係合するラッチ８９により、レバー９３が前側の一端部を押し下げられて、下側の他端部によりスイッチ９５を操作し、それによって、食器洗浄機の運転が実行できるようにしている。従って、それらレバー９３、スイッチ９５は、上扉４４の開閉、ひいては扉４２の開閉に応動するドアスイッチとして機能し、更には扉開閉検知手段として機能するようになっている。
【００４０】
又、本体４１には、前部の中間部に前方に開放する凹部９６を形成しており、この凹部９６に前記上扉４４の突出部６０が嵌入するようにしている。従って、凹部９６は上扉４４の一部が嵌入する嵌入部であり、その嵌入がしやすいように、凹部９６は前部が上下に広く後方に向かって先細状となるように形成している。なお、それらに合わせて、張出部６１も、同形状に形成している。
【００４１】
更に、本体４１には、前記上扉４４の支持部材７８が通るスリット９７を形成しており、このスリット９７を、上扉４４（扉４２）の開放状態では、図４（ハ）及び図３に示すように、支持部材７８が閉塞するようにしている。
このほか、図５（ロ）には、洗浄室４７内における下食器かごガイド９８及び上食器かごガイド９９を示している。又、図３には、下食器かご４９の引出し案内用に、上扉４４の内面の左右両側縁部に形成した案内部１００を示している。
【００４２】
さて、上記構成のものの場合、扉４２（下扉４３及び上扉４４）が図４（イ）に示す閉鎖状態にあるとして、この状態から、使用者が押釦５３を押圧操作すると、ラッチ８９が本体４１の係止部９１との係合を解除されると共に、ラッチ８９によるレバー９３の前側の一端部の押し下げが解除されて、該レバー９３の下側の他端部によるスイッチ９５の操作が解除されるので、食器洗浄機の運転が実行できない状態となる。
【００４３】
又、それと同時に、本体４１のシール部材７０の反発力と、上扉４４及び下扉４３の自重による開放方向のモーメントとにより、上扉４４が、溝５９を下扉４３の張出部６１が有した突起６２に沿わせて下方へ移動させることにより、下扉４３に対して下方へスライドする。このとき、溝５９の下端側５９ａが後下がりに傾斜していることで、上扉４４のスライド、特には上扉４４が下扉４３と面一となった状況から下扉４３に重なるときのスライドは円滑に行われる。
【００４４】
又、それには、下扉４３と上扉４４の分割面７１の傾斜を溝５９の下端側５９ａの傾斜にほゞ沿わせたことや、分割面７１の傾斜角度θ２を溝５９の下端側５９ａの傾斜角度θ１より小さくしたこと、並びに溝５９の下端側５９ａの傾斜角度θ１を垂直線に対して６０度以下としたこと、そして、下扉４３の凹部７５と上扉４４の凸部７３の傾斜を下扉４３と上扉４４との分割面７１の傾斜と同方向としたことも有効で、それらにより、上扉４４のスライドは円滑に行われる。
【００４５】
そして、それと共に、図４（ロ）に示すように、下扉４３が支軸５８を中心に前下方へ回動し、最終的に、図４（ハ）に示すように、上扉４４及び下扉４３がともに伏せた水平状態となって内面部を上に向け、下扉４３の上に上扉４４が重ね置かれて開口部４８を開放した状態となる。
又、このときの上扉４４及び下扉４３の開放は、それら上扉４４及び下扉４３の自重が引張コイルスプリング８６，８８の付勢力に抗することで、最初はゆっくりであるが、徐々に加速度を増して速くなろうとする。それに、ダンパ８７が対抗機能し、よって、上扉４４及び下扉４３の開放は最初から全開位置までの全部を通じてゆっくり行われる。
【００４６】
又、上扉４４の支持部材７８の突起８０は、途中まで溝８１の最上部の位置にあって上扉４４の回動支点として機能し、最終的には溝８１の最下部まで下降する。
なお、図５（イ）には、開放した上扉４４の上に引出した下食器かご４９を表しており、図５（ロ）には、同じく引出した上食器かご５０を表している。又、それらの図５（イ），（ロ）及び図４（ハ）に示すように、扉４２を開放した状態では、上扉４４の前端部と下扉４３の前端部の上下間に側面形がほゞ三角形の隙間１０１が形成される。
【００４７】
そして、上述のように開放した扉４２を閉鎖させるには、手を隙間１０１に入れて上扉４４の手懸部５４に懸け、上扉４４を引き上げる。すると、上述とは逆に、下扉４３が支軸５８を中心に後上方へ回動し、それに伴い、上扉４４が溝５９を下扉４３の張出部６１が有した突起６２に沿わせて上方へ移動させることにより、下扉４３に対して上方へスライドし、最終的に、図４（イ）に示したように、上扉４４及び下扉４３がともに垂直状態となって内面部を後方に向け、下扉４３の上に上扉４４が連なって開口部４８を閉鎖した状態となる。
【００４８】
又、このときにも、溝５９の下端側５９ａが後下がりに傾斜していることや、下扉４３と上扉４４の分割面７１の傾斜を溝５９の下端側５９ａの傾斜にほゞ沿わせたこと、分割面７１の傾斜角度θ２を溝５９の下端側５９ａの傾斜角度θ１より小さくしたこと、溝５９の下端側５９ａの傾斜角度θ１を垂直線に対して６０度以下としたこと、並びに下扉４３の凹部７５と上扉４４の凸部７３の傾斜を下扉４３と上扉４４との分割面７１の傾斜と同方向としたことで、上扉４４のスライド、特には下扉４３の上に上扉４４が連なって面一となるときのスライドは、やはり円滑に行われる。
【００４９】
更に、この間、引張コイルスプリング８６，８８やダンパ８７及び上扉４４の支持部材７８の突起８０は、図４（ハ）から（ロ），（イ）に示すように（開放時とは逆）変化する。更に、ラッチ８９が係止部９１に係合し、扉４２を閉鎖状態にロックすると共に、レバー９３がラッチ８９により前側の一端部を押し下げられて、下側の他端部によりスイッチ９５を操作し、食器洗浄機の運転が実行できるようになる。
【００５０】
このように本構成のものでは、扉４２は、開放時に、本体４１の開口部４８の下方側に伏せて重ね置かれる下扉４３と上扉４４、すなわち、複数の単位扉から成るものであり、それによって、上方に棚や他の設置物がある場所でも、それらに扉４２が当たるようなことがなく、問題なく設置できる。又、この場合、設置箇所の上方に余分なスペースを確保する必要がなく、その分、本体４１の高さを大きくすることができるので、食器５１の収容量を増すことができ、あるいは大きな食器５１の収容、洗浄に有利なようにできる。
更に、開放時、上記複数の単位扉が伏せて重ね置かれる扉４２は、食器５１の出し入れの邪魔になることもなく、食器５１の出し入れをしやすくできる。
【００５１】
そして、本体４１の開口部４８の周縁部に延設した防水用のリブ６７，６８は、閉鎖状態の扉４２に入り込み、その状態で、本体４１と扉４２との間をシール部材７０でシールするものであるから、その分、扉４２には防水用のリブ６３〜６６を小さく設けるに留め得、もしくはそれを設けないでも、充分な防水性能が得られる。かくして、複数の単位扉の厚さ寸法を小さくでき、それら複数の単位扉が重なり合う厚さ寸法も小さくできるので、扉４２の上に引出される食器かご（下食器かご４９）の位置を低くできて、該食器かごの出し入れ性や、食器かごに対する食器５１の出し入れ性を良くすることができる。
加えて、上述の、扉４２の厚さ寸法を小さくできることで、扉４２閉鎖状態での全体の奥行寸法を小さくすることもできる。
【００５２】
又、本構成のものでは、扉４２も、防水用のリブ６３〜６６を、扉４２の外周部の厚さとほゞ同等の高さで有しており、それによって、扉４２の厚さを、防水用のリブ６３〜６６を含めても、外周部の厚さの範囲に留めつつ、すなわち、上述の、扉４２の開放状態並びに閉鎖状態での厚さ寸法を小さくできる点を失わずに、防水用のリブ６３〜６６を極力高く確保でき、もって、防水性能をより高く得ることができる。
【００５３】
図１３は、参考に、従来のものの上扉（下扉）２０１のリブ２０２，２０３の高さを示しており、このリブ２０２，２０３は、上扉２０１の厚さＸより寸法Ｙだけ突出しており、総じて上扉２０１の厚さはＸ＋Ｙ＝Ｚとなっていた。このため、上扉２０１と下扉（図示せず）とが開放状態で上下に重なったときの厚さ寸法（図２５に示したＴ０）は、本実施例構造のものより大きくなり、その分、上扉２０１の上に引出される下食器かごの洗浄室内並びに洗浄室外における位置も高くなって、下食器かごの出し入れ、並びに引出した該下食器かごに対する食器の出し入れが本実施例構造のものほど容易にできるものではなかった。
【００５４】
加えて、本構成のものの場合、扉４２が有するラッチ８９を扉４２の閉鎖時に係止する孔９０を、本体４１の防水用のリブ６７，６８より外側で、且つ、該防水用リブ６７，６８の先端より本体４１の奥側に位置する部位に有しており、それによって、万一、長期の使用によりシール部材７０が劣化して本体４１と扉４２との間から水が漏れたとしても、孔９０から本体４１内に水が浸入することのないようにできる。又、それにより、特に本構成のものでは、孔９０の後方（本体４１内）に存するにスイッチ９５に水が掛かることのないようにできて、絶縁不良など来たすことのないようにできる。
【００５５】
そして、扉４２の閉鎖時には、下扉４３の上端部に設けた係合部である凹部７５に、上扉４４の下端部に設けた被係合部である凸部７３が係合すると共に、下扉４３と上扉４４との間をシール部材７２でシールするようにしており、その凹部７５と凸部７３との係合によって、下扉４３と上扉４４とが堅固に結合され、それにより、下扉４３と上扉４４との間でのシール部材７２の圧接量が安定し、洗浄時の洗浄室４７からの水漏れを防止するシール性能を高く得ることができる。
【００５６】
又、下扉４３と上扉４４との分割面７１を後下がりに傾斜させ、その傾斜と同方向に、上記凹部７５と凸部７３とを傾斜させて設けており、それによって、それら凹部７５と凸部７３との係合、離脱を円滑に行わしめ得、ひいては扉４２の開閉動作を円滑に行わしめることができる。
更に、上扉４４には防水壁７４を延設し、この防水壁７４で下扉４３と上扉４４のシール部分を洗浄室４７内側から覆っており、それによって、シール部材７２及び防水壁７４の２段構造で防水ができるので、洗浄室４７内からの水漏れをより確実に防止することができる。
【００５７】
以上に対して、図１４ないし図２１は本発明の第２ないし第５実施例（第２ないし第５の実施形態）を示すもので、第１実施例と同一又は同様の部分には同一の符号を付して説明を省略し、異なる部分についてのみ述べる。
【００５８】
［第２実施例］
図１４に示す第２実施例においては、下扉４３（上扉４４）に、前述のごとく、防水用のリブ６５，６６（６３，６４）を設けずに、溝１１１を形成し、その奥部にゴムなど弾性材から成るシール部材１１２を配設している。又、それに対し、本体４１の開口部４８の全周縁部には１条の防水用のリブ１１３を形成し、扉４２の閉鎖状態で、該リブ１１３に溝１１１を被合することにより、該リブ１１３が扉４２（下扉４３、上扉４４）に入り込むようにし、シール部材１１２をリブ１１３の先端部に圧接させている。
このようにしても、前述のごとく充分な防水性能を得ることができる。
【００５９】
［第３実施例］
図１５に示す第３実施例においては、上扉４４の溝５９を、内側部材４４ｂの延長部分１２１に形成し、更に、その縁部５９ｃを外側方へ突出させて形成していて、それに前述の張出部６１に代わる張出部１２２が有する突起６２の近傍部分を当接させることにより、上扉４４の外側面と張出部１２２の内面との間に隙間Ｇが保たれ、上扉４４の外側面を張出部１２２の内面で摺って傷付けることのないようにしている。
【００６０】
又、この場合、張出部１２２は下扉４３にねじ１２３によって取付ける別部品とし、その外面には化粧部材１２４を装着して、外観の品位を高めるようにしている。更に、下扉４３の側面部及び上扉４４の側面部も、別体の飾り部材１２５，１２６で構成することによって、同じく外観の品位を高めるようにしている。
【００６１】
［第４実施例］
図１６ないし図１８に示す第４実施例においては、まず、上扉４４の前面部に、排気口１３１と取手１３２とを上下に分けて設けている。
又、本体４１の凹部（嵌入部）１３３を、前述の凹部９６に代えて、半円形に形成しており、上扉４４の突出部１３４と張出部１３５も、それぞれ前述の突出部６０及び張出部６１に代えて、半円形に形成している。
【００６２】
更に、下食器かご４９には、円筒状の例えばプラスチックから成るすべり部材１３６を装着しており、これを上扉４４の裏面部に形成したかごガイド１３７が下食器かご４９の引出し時に案内するようにしている。
加えて、上扉４４には、上記突出部１３４から連結部１３８を延設し、この連結部１３８に連結部材１３９の一端部を連結ピン１４０によって上下回動可能に連結し、連結部材１３９の他端部は、本体４１に支軸１４１によって上下回動可能に支持させている。そして、本体４１と連結部材１３９の中間部との間に、引張コイルスプリング８８を張架している。
このようにしても、第１実施例と同様の作用効果を得ることができる。
【００６３】
［第５実施例］
図１９ないし図２１に示す第５実施例においては、上扉４４の防水壁７４の左右の両側端部７４ａを、それらの間の中間部７４ｂより長く延設しており、又、その両側端部７４ａの延設部分には、扉４２の開放時に下食器かご４９を案内する前記案内部１００を延長させて設けている。
【００６４】
このようにすることにより、下扉４３と上扉４４との分割面７１からの水漏れをより確実に防止することができる。これを詳述するに、図２０は、洗浄室４７における洗浄水の動きを矢印で示しており、洗浄室４７の内底部に配設した２つの噴水体１５１の噴水口１５１ａから噴出した水は、噴水体１５１を回転させつつ上方へ飛散されると共に、矢印で示したように放射される。この結果、水は洗浄室４７の図示した四隅部に最も多く集まり、この四隅部の水圧が高まる。扉４２の下扉４３と上扉４４との分割面７１は、その左右の両端部が上記洗浄室４７の四隅部に近く位置しており、上述の噴射水が強く当たる。
【００６５】
それに対して、上述のように上扉４４の防水壁７４の左右の両側端部７４ａを中間部７４ｂより長く延設したものでは、その防水壁７４の両側端部７４ａの延設部分によって、扉４２の下扉４３と上扉４４との分割面７１の左右の両端部、すなわち、上述の噴射水が強く当たる部分を、重なり代多く覆うものであり、これによって、下扉４３と上扉４４との分割面７１からの水漏れをより確実に防止することができるのである。
【００６６】
そして、防水壁７４の両側端部７４ａの延設部分に、扉４２の開放時に下食器かご４９を案内する案内部１００を延長させて設けたことによっては、洗浄室４７内の下食器かごガイド９８に案内部１００を近接させることができるので、その間隙ｇ（図２１参照）を小さくできて、下食器かご４９の出し入れをより円滑に行わしめることができる。
【００６７】
このほか、本発明は上記し且つ図面に示した実施例にのみ限定されるものではなく、特に扉は２枚より多くの単位扉から成るものであっても良いなど、要旨を逸脱しない範囲内で適宜変更して実施し得る。
【図面の簡単な説明】
【００６８】
【図１】本発明の第１実施例を示す、図４（イ）のＢ−Ｂ線に沿う拡大断面図
【図２】全体の外観斜視図
【図３】主要部分の扉開放状態での斜視図
【図４】破断側面図で、（イ）が扉閉鎖状態、（ロ）が扉開放途中（閉鎖途中）状態、（ハ）が扉開放状態をそれぞれ示す図
【図５】破断側面図で、（イ）が下食器かご引出し状態、（ロ）が上食器かご引出し状態をそれぞれ示す図
【図６】図４（ハ）のＣ−Ｃ線に沿う拡大断面図
【図７】図１のＤ−Ｄ線に沿う部分断面図
【図８】図２のＥ−Ｅ線に沿う拡大断面図
【図９】扉閉鎖直前状態での図８相当図
【図１０】図４（イ）のＦ−Ｆ線に沿う拡大断面図
【図１１】図４（イ）のＨ−Ｈ線に沿う拡大断面図
【図１２】図１１のＩ−Ｉ線に沿う断面図
【図１３】図１相当の参考図
【図１４】本発明の第２実施例を示す図１相当図
【図１５】本発明の第３実施例を示す図６相当図
【図１６】本発明の第４実施例を示す図２相当図
【図１７】図６相当図
【図１８】図４相当図
【図１９】本発明の第５実施例を示す図３相当図
【図２０】噴射水の動きを示す洗浄室の平面図
【図２１】主要部分の扉開放状態での平面図
【図２２】従来の第１例を示す扉開放状態の側面図
【図２３】従来の第２例を示す図２２相当図
【図２４】従来の第３例を示す図２２相当図
【図２５】従来の第４例を示す図２２相当図
【符号の説明】
【００６９】
図面中、４１は本体、４２は扉、４３は下扉（下側の単位扉）、４４は上扉（上側の単位扉）、４７は洗浄室、４８は開口部、４９は下食器かご（食器かご）、６３〜６６は扉の防水用のリブ、６７，６８は本体の防水用のリブ、７０はシール部材、７１は扉の分割面、７２はシール部材、７３は凸部（被係合部）、７４は防水壁、７４ａは防水壁の両側端部、７４ｂは防水壁の中間部、７５は凹部（係合部）、８９はラッチ、９０は孔、１００は案内部を示す。
【図１】
2006198223.tif 000003
【図２】
2006198223.tif 000004
【図３】
2006198223.tif 000005
【図４】
2006198223.tif 000006
【図５】
2006198223.tif 000007
【図６】
2006198223.tif 000008
【図７】
2006198223.tif 000009
【図８】
2006198223.tif 000010
【図９】
2006198223.tif 000011
【図１０】
2006198223.tif 000012
【図１１】
2006198223.tif 000013
【図１２】
2006198223.tif 000014
【図１３】
2006198223.tif 000015
【図１４】
2006198223.tif 000016
【図１５】
2006198223.tif 000017
【図１６】
2006198223.tif 000018
【図１７】
2006198223.tif 000019
【図１８】
2006198223.tif 000020
【図１９】
2006198223.tif 000021
【図２０】
2006198223.tif 000022
【図２１】
2006198223.tif 000023
【図２２】
2006198223.tif 000024
【図２３】
2006198223.tif 000025
【図２４】
2006198223.tif 000026
【図２５】
2006198223.tif 000027